(57)【要約】【課題】板状部材と土台部材とのガタ付きを防止するために、ピン部材を用いてガタ付きを防止するとともに、温度変化による板状部材の歪みを抑制可能としたパチンコ機を提供する。【解決手段】板状部材３１と土台部材３２から成る合成樹脂製のパチンコ遊技盤１０において、板状部材３１を土台部材３２に嵌合した際のガタ付きを防止するために、板状部材３１と土台部材３２との隙間にピン部材４０を差し込むことにより、ガタ付きを防止するとともに、板状部材３１の温度変化による歪みを効果的に解消することが可能となった。【選択図】  図２
2009273787.tif 000002
【特許請求の範囲】
【請求項１】
遊技球が流下する遊技領域が前面に形成される板状部材と、前記板状部材を嵌合状態で支持するための嵌合段部を備えた土台部材とからなる合成樹脂製の遊技盤を有するパチンコ機であって、
前記嵌合段部を前記板状部材より大型に形成し、嵌合状態において前記板状部材の周面と前記土台部材との間に隙間が生じるようにするとともに、
嵌合状態にある前記板状部材の上部と前記土台部材との隙間にピン部材を差し込んで、
前記土台部材に前記板状部材を固定させたことを特徴とするパチンコ機。
【請求項２】
遊技球が流下する遊技領域が前面に形成される板状部材と、前記板状部材を嵌合状態で支持するための嵌合段部を備えた土台部材とからなる合成樹脂製の遊技盤を有するパチンコ機であって、
前記板状部材の周縁に、正面視が上下方向に垂直となる垂直部を形成する一方、
前記嵌合段部を前記板状部材より大型に形成し、嵌合状態において前記板状部材の周縁と前記土台部材との間に隙間が生じるようにするとともに、
嵌合状態にある前記板状部材の垂直部と前記土台部材との隙間にピン部材を差し込んで、前記土台部材に前記板状部材を固定させたことを特徴とするパチンコ機。 
【請求項３】
前記ピン部材が弾性素材によって形成されていることを特徴とする請求項１又は２に記載のパチンコ機。
【発明の詳細な説明】
【技術分野】
【０００１】
本発明は、ガタ付きを防止した遊技盤を有するパチンコ機に関するものである。
【背景技術】
【０００２】
遊技機の一例であるパチンコ機として、例えば特許文献１に開示されているようなものが従来から使用されている。特許文献１に開示されているパチンコ機は、透明な熱可塑性の合成樹脂で形成された板状部材と、板状部材と略同形に形成され着脱可能な嵌合段部を備えた土台部材とから成る遊技盤を有しており、板状部材と土台部材とが嵌合した状態で固定されるものである。
【０００３】
【特許文献１】特開２００８−４０３号公報
【発明の開示】
【発明が解決しようとする課題】
【０００４】
しかしながら、上記特許文献１に記載の遊技盤において、板状部材と土台部材の嵌合段部とのサイズを厳密に同じに形成すると、何らかの物理的影響で板状部材または土台部材が僅かにでも変形してしまうと、両者を嵌合させることができなくなるため、運搬や組み立て時に不良品が発生しやすいという問題がある。また、両者を嵌合した後においても、例えば温度変化により板状部材が膨張しようとした場合に、板状部材の周面が強固に拘束されていることから、板状部材の形状変化は抑制されるものの、残留応力によって遊技盤全体が大きく歪むといった問題が生じる。
ここで、上記問題を解消するために、嵌合段部を板状部材よりも若干大型に形成し、板状部材を土台部材に嵌合した際、板状部材の周面と土台部材の嵌合段部内面との間にあそびを設ける構成の採用が考えられる。しかしながら、ただ単にあそびを設けただけでは、嵌合状態にある板状部材がガタ付き、位置ズレを起こしかねないといった新たな問題が生じる。
【０００５】
そこで本発明は、上記問題に鑑みなされたものであって、板状部材と土台部材との間にあそびを設けてはいるものの、板状部材を土台部材に嵌合した際のガタ付きを防止可能とした遊技盤を有するパチンコ機を提供しようとするものである。
【課題を解決するための手段】
【０００６】
かかる本発明のうち請求項１に記載された発明は、遊技球が流下する遊技領域が前面に形成される板状部材と、前記板状部材を嵌合状態で支持するための嵌合段部を備えた土台部材とからなる合成樹脂製の遊技盤を有するパチンコ機であって、前記嵌合段部を前記板状部材より大型に形成し、嵌合状態において前記板状部材の周面と前記土台部材との間に隙間が生じるようにするとともに、嵌合状態にある前記板状部材の上部と前記土台部材との隙間にピン部材を差し込んで、前記土台部材に前記板状部材を固定させたことを特徴とする。
【０００７】
請求項２に記載された発明は、遊技球が流下する遊技領域が前面に形成される板状部材と、前記板状部材を嵌合状態で支持するための嵌合段部を備えた土台部材とからなる合成樹脂製の遊技盤を有するパチンコ機であって、前記板状部材の周縁に、正面視が上下方向に垂直となる垂直部を形成する一方、前記嵌合段部を前記板状部材より大型に形成し、嵌合状態において前記板状部材の周縁と前記土台部材との間に隙間が生じるようにするとともに、嵌合状態にある前記板状部材の垂直部と前記土台部材との隙間にピン部材を差し込んで、前記土台部材に前記板状部材を固定させたことを特徴とする。
【０００８】
請求項３に記載された発明は、請求項１又は２に記載された発明において、前記ピン部材が弾性素材によって形成されていることを特徴とする。
【発明の効果】
【０００９】
請求項１又は２に記載の発明によれば、土台部材の嵌合段部を板状部材よりやや大型に形成し、嵌合状態において板状部材の周面と土台部材との間に隙間が生じるようにしているため、板状部材の土台部材への設置作業が容易であるし、たとえば板状部材が僅かに変形したとしても使用可能で、不良品の低減を図ることができる。また、板状部材の周面と土台部材との隙間にピン部材を差し込むことで、土台部材に板状部材を固定するようにしているため、嵌合状態において板状部材がガタ付いたり、位置ズレを起こしたりするおそれがない。
さらに、ピン部材による固定後であっても、ピン部材が差し込まれていない箇所においては、板状部材の周面と土台部材との間に隙間が生じているため、板状部材が温度変化によって膨張した場合でも、当該膨張が無理矢理押さえ込まれることがなく、板状部材に歪みが生じにくい。
加えて、板状部材と土台部材との隙間にピン部材を差し込むにあたり、板状部材の上部と土台部材との隙間（請求項１）に、又は板状部材の垂直部と土台部材との隙間（請求項２）に夫々ピン部材を差し込むようにしている。そのため、ピン部材を差し込むことで、板状部材に対し上方へ持ち上げるような外力はかからない。したがって、板状部材を浮き上がらせることがなく、安定して固定することができる。
【００１０】
請求項３に記載の発明によれば、ピン部材を弾性素材を用いて成形することで、摩擦の生じやすい性質によって、ピン部材が当接している板状部材と土台部材とのずれを生じにくくする。また、弾性素材を用いたピン部材は、板状部材が温度変化によって膨張した際に、その板状部材の膨張による押圧に従って変形することが可能なため、板状部材を無理に拘束せず、その結果板状部材に歪みが生じにくくなる。
【発明を実施するための最良の形態】
【００１１】
以下、本発明のパチンコ機の一実施形態について、図面に基いて詳細に説明する。
【００１２】
（本体の説明）
図１におけるパチンコ機１は、パチンコ機１本体を支持する機枠２に、金属製のフレーム部材であるミドル枠（図示せず）を介して遊技盤１０を設置すると共に、該遊技盤１０の前方を閉塞可能な前扉３を片開き自在に取り付けてなるものである。そして、該前扉３により閉塞される遊技盤１０の前方空間（遊技盤１０の前面）を、遊技球が流下する略円形の遊技領域１１としている。
【００１３】
遊技領域１１は、円弧状に配設された外レール１２や内レール１３等により囲まれており、当該遊技領域１１へは、外レール１２と内レール１３との間に形成される発射通路を介して遊技球を打ち込み可能となっている。また、遊技領域１１の略中央には、「０」〜「９」の数字や絵柄等からなる「図柄」を表示する図柄表示領域２２や、遊技球を左右へ揺動させるステージ部材２０が設置されていると共に、当該ステージ部材２０上へ遊技球を導くための誘導部材（図示せず）、及びステージ部材２０の上方に形成される図柄表示領域２２への遊技球の進入を防止する庇部材２１等を組み付けてなるセンター部材が設置されている。
また、遊技領域には、多数の遊技釘（図示せず）、遊技球が通過可能なゲート部材１４、一対の爪片を開閉動作可能に備えたチューリップ式電動役物１５、開閉可能な扉部材を有する大入賞装置１６、遊技球が入賞可能な入賞部材１７、１７・・、風車１８等が設置されている。
【００１４】
遊技盤１０の下方には、遊技球を発射装置（図示せず）へ供給するための供給皿４、及び該供給皿４から溢れた遊技球を貯留するための貯留皿５が機枠２に対して片開き可能に取り付けられている。また、貯留皿５の近傍には、発射装置を作動させるための発射ハンドル６、音声や効果音による演出を行うためのスピーカ７等が設置されている。
さらに、遊技盤１０の後面には、「図柄」を図柄表示領域２２内に表示させるための液晶表示装置（表示装置）、遊技に係る制御（例えば、所謂「大当たり抽選」や液晶表示装置における表示制御等）を行う制御装置等が設置されている。
【００１５】
以上のようなパチンコ機１では、遊技者によって発射ハンドル６が回動操作されると、発射装置が作動して遊技球が遊技領域１１内へ打ち込まれる。そして、遊技領域を流下する遊技球がチューリップ式電動役物１５へ入賞すると、制御装置にて所謂「大当たり抽選」を行い、「大当たり」である場合には、図柄表示領域２２に所定態様の図柄を確定表示した後、大入賞装置１６の扉部材を所定回数にわたって断続的に開成させるといった所謂「大当たり状態」を生起させる。
【００１６】
次に本発明の遊技盤１０について、図２〜７をもとに説明する。
図２は、板状部材３１と土台部材３２とを、係止片３６とピン部材（以下防止ピンという）４０，４０・・とで固定した遊技盤１０を前面側から示した説明図であり、図３は、板状部材３１を示した説明図である。図４は、土台部材３２を示した説明図であり、図５は、図２に示した遊技盤１０の上部を拡大した説明図である。図６（ａ）は、本実施例で使用した防止ピン４０を正面及び側面から拡大した図であり、（ｂ）は、防止ピン４０の挿通状態を示した断面図である。図７（ａ）は、防止ピンが挿通された板状部材と土台部材との隙間の拡大図である。
【００１７】
図２に示されるように、遊技盤１０は、一枚板状に形成された板状部材３１と、該板状部材３１の後面側で、該板状部材３１全体を嵌め込んで固着される土台部材３２と、板状部材３１と土台部材３２との隙間に差し込まれて、板状部材３１を土台部材３２へ固着する防止ピン４０，４０・・とからなる。
【００１８】
図３に示すように、板状部材３１は、アクリル樹脂から成形された透明な略円形の板状体であって、その前面には、複数の障害釘が植設されるとともに、その上部左側には、土台部材３２への嵌合状態において、土台部材３２に設けられた係止片３６が係止する係止溝３７が凹設されている。また、板状部材３１の下部左右側縁には、正面視が上下方向へ垂直であり、少なくとも一部が左右方向において重なり合う垂直部４４，４４が設けられている。
さらに、板状部材３１の上部の左右端縁であって、正面視が傾斜状となっている箇所と、垂直部４４を含む周縁とには、板状部材３１と嵌合段部３３との隙間に防止ピン４０を差し込んだ際、防止ピン４０の頭部が埋入する扇状のピン受け４３ａ〜４３ｄが凹設されている。尚、各垂直部４４周縁に設けられたピン受け４３ｃ及び４３ｄは、上下方向でほぼ同じ高さ位置とされている。
【００１９】
土台部材３２は、ポリカーボネートを用いて成形され、略円弧状の一辺を持つ略三角形状の格子部材を４つ連結してなっている。各格子部材は、厚さ略２ｍｍの底板部分から高さ略１２ｍｍのリブ片を突出させ、また上下方向及び左右方向に直交させた格子構造を備えている。また、土台部材３２の前面側の内周縁には、板状部材３１よりわずかに大型の凹状の嵌合段部３３が、面上から約９ｍｍの深さで形成されている。土台部材３２は、各格子部材の端部に設けられた各凸部を、隣り合う格子部材の対応する凹部に嵌入させた後、ネジ止めして一体化することで、リング状に形成されている。
なお、各格子部材の凸部および凹部には、両者を連結状態で固定するためのネジ（図示せず）を挿入可能なネジ孔が穿設されている。
【００２０】
土台部材３２の嵌合段部３３縁で、板状部材３１を嵌合した際にピン受け４３ａ〜４３ｄと対向する部分には、扇状で、且つピン受け４３ａ〜４３ｄとにより円形となる、ピン受け４１ａ〜４１ｄが凹設されている（図２，図４）。また、そのピン受け４１ａ〜４１ｄの近傍には、防止ピン４０の掛止部４０ｘを掛止するために掛止ピン４２ａ〜４２ｄが植設されている。さらに、土台部材３２の上部左側の位置には、略半円形で、土台部材３２に板状部材３１を起立状態に保持するための係止片３６が下向きに突設されている。加えて、土台部材３２の右側縁の上下部には、遊技盤１０をミドル枠に設置するための切り欠きが形成されている。
【００２１】
また、土台部材前面に形成された嵌合段部３３の下辺部には、突起部８０，８０・・が一定間隔で設けられている。当該突起部８０，８０・・は、板状部材３１に接する先端部分が基端部分より幅狭且つ丸みを帯びて形成されており、板状部材３１と土台部材３２とを嵌合させた際に、その突起部８０，８０・・の先端で板状部材３１を支持可能としている（図４）。
【００２２】
一方、防止ピン４０は、板状部材３１を土台部材３２に嵌合した際、板状部材３１と土台部材３２との隙間に差し込んで、板状部材３１のガタ付きを防止するためのものであって、弾性素材であるエラストマーを用いて形成されている。防止ピン４０は、図６（ａ）に示すが如く、左右方向及び厚み方向ともに先細りするくさび形に形成されている。そして、当該防止ピン４０は、その左右方向を板状部材３１と土台部材３２との隙間に沿わせて、すなわち、幅広となる面が板状部材３１の周面及び土台部材３２の嵌合段部３３内面に当接するように差し込まれる。尚、ピン受け４１ｃ、４３ｃ及びピン受け４１ｄ、４３ｄ内に防止ピン４０を差し込む場合、左右の防止ピン４０、４０の差し込み位置をほぼ同じ高さとする。                   
さらに、防止ピン４０の頭部には、リング状の掛止部４０ｘが取り付けられており、掛止ピン４２ａ〜４２ｄに掛止可能となっている。
【００２３】
以上のように構成される遊技盤１０は、以下のようにして組み立てられる。
まず、板状部材３１に設けられた係止溝３７を土台部材３２の係止片３６に係止させて、板状部材３１を起立保持させる。次に、板状部材３１及び土台部材３２の上部において、ピン受け４１ａ、４３ａ及び４１ｂ、４３ｂ内に頭部が埋設されるよう、板状部材３１の上部３１の上部周面と嵌合段部３３の内面との隙間に防止ピン４０を夫々差し込む。また、板状部材３１及び土台部材３２の下部においては、ピン受け４１ｃ、４３ｃ及び４１ｄ、４３ｄ内に頭部が埋設されるよう、板状部材３１の垂直部４４周面と嵌合段部３３の内面との隙間に防止ピン４０を夫々差し込むことによって、遊技盤１０は組み立て完了となる。尚、防止ピン４０は、板状部材３１と嵌合段部３３との隙間に差し込まれた後、その掛止部４０ｘを、近傍にある掛止ピン４２ａ〜４２ｄに掛止する（図５）。
【００２４】
（実施例のパチンコ機の効果）
上記実施例のパチンコ機１においては、嵌合段部３３を板状部材３１よりやや大型に形成し、嵌合状態において板状部材３１の周面と土台部材３２との間に隙間が生じるようにしているため、板状部材３１の組み付け及び取り外しを容易に行うことができる。また、板状部材３１の周面と土台部材３２との隙間に防止ピン４０，４０・・を差し込むことで、土台部材３２に板状部材３１を固定するようにしているため、嵌合状態において板状部材３１がガタ付いたり、位置ズレを起こしたりするおそれがない。
【００２５】
さらに、防止ピン４０，４０・・による固定後であっても、防止ピン４０，４０・・が差し込まれていない箇所においては、板状部材３１の周面と土台部材３２との間に隙間が生じているため、板状部材３１が温度変化によって膨張した場合でも、当該膨張が無理矢理押さえ込まれることがなく、板状部材３１に歪みが生じにくい。
加えて、板状部材３１及び土台部材３２の上部においては、ピン受け４１ａ、４３ａ及びピン受け４１ｂ、４３ｂ内に頭部が埋設されるよう、板状部材３１の上部周面と嵌合段部３３の内面との隙間に防止ピン４０を夫々差し込む。さらに、板状部材３１及び土台部材３２の下部においては、ピン受け４１ｃ、４３ｃ及びピン受け４１ｄ、４３ｄ内に頭部が埋設されるよう、板状部材３１の垂直部４４周面と嵌合段部３３の内面との隙間に防止ピン４０を夫々差し込む。そのため、防止ピン４０，４０・・を差し込むことで、板状部材３１に対し上方へ持ち上げるような外力はかからない（図７（ａ））。したがって、板状部材３１を、上方へ浮き上がらせることなく、安定して固定することができる。
【００２６】
また、垂直部４４のピン受け４１ｃ、４３ｃ及びピン受け４１ｄ、４３ｄ内には、防止ピン４０，４０がほぼ同じ高さ位置に差し込まれているため、嵌合している板状部材３１が温度変化によって膨張したとしても、板状部材３１の変形が防止ピン４０、４０によって左右対称に位置留めされるため、結果として位置ズレが起きにくくなる。
【００２７】
さらに、上記実施例のパチンコ機１においては、各防止ピン４０をエラストマーにより形成しているため、板状部材３１が温度変化によって膨張したとしても、膨張した板状部材３１に押されて変形することが可能であり、そのため板状部材３１は膨張を無理に押さえ込まれることがなく、歪みが生じにくい。
またさらに、エラストマーにより形成された各防止ピン４０は、その摩擦の生じやすい性質によって、防止ピン４０が当接している板状部材３１と土台部材３２との間にズレが生じにくい。
【００２８】
また、上記実施例のパチンコ機１においては、防止ピン４０が頭部側にリング状の掛止部４０ｘを有しており、該掛止部４０ｘを土台部材３２に設けた掛止ピン４２ａ〜４２ｄに掛止するため、例え防止ピン４０が板状部材３１と土台部材３２との隙間から外れたとしても、紛失することがない。
加えて、上記実施例のパチンコ機１においては、土台部材３２の嵌合段部３３の下辺部に、複数の突起部８０，８０・・が設けられており、板状部材３１の下辺をその突起８０，８０・・のわずかな領域で支持しているため、土台部材３２に対して板状部材３１の下辺全面が当接しているパチンコ機と比較して、摩擦が生じにくく、左右方向へ膨張しやすいため、膨張が抑制されず歪みが生じにくい。
【００２９】
（パチンコ機の変更例）
なお、本発明のパチンコ機１の構成は、上記実施形態の態様に何ら限定されるものではなく、防止ピン４０，４０・・、ピン受け４１ａ〜４１ｄと４３ａ〜４３ｄ、及び掛止ピン４２ａ〜４２ｄの形状・構造等の構成を、本発明の趣旨を逸脱しない範囲で適宜変更することができる。
【００３０】
たとえば本実施例においては、防止ピン４０の掛止部４０ｘは防止ピン４０と一体成形されているが、防止ピン４０から外れないように強固に固着されるならば、別成形でもかまわない。
【００３１】
また、本実施例において、防止ピン４０，４０・・の素材には、エラストマーのような弾性素材を採用しているが、土台部材３２と同じポリカーボネート樹脂を採用したり、耐熱性プラスチックを採用することも可能である。
さらに、エポキシ系樹脂、フェノール系樹脂、メラミン系樹脂、尿素系樹脂等のいずれかを用いることも可能である。
【００３２】
さらに、防止ピン及び各ピン受けの個数は、４個に限定されるものではない。板状部材３１と土台部材３２とを嵌合させた際に、板状部材３１のガタ付きを防止し、かつ板状部材３１の温度変化による膨張を妨げない機能を確保できるのであれば、個数は減少させても、もしくは増加させてもかまわない。その場合には、防止ピン４０，４０・・を掛止するための掛止ピン４２ａ〜４２ｄを併せて増加もしくは減少させる必要がある。
なお、防止ピン受け４１ａ〜４１ｄと４３ａ〜４３ｄとの組み合わせの全てに対し、防止ピン４０を差し込む必要はなく、板状部材３１と土台部材３２との嵌合状態、もしくは板状部材３１の膨張の状態に合わせて、任意に選択したピン受けの組み合わせにのみ、防止ピン４０を嵌め込んでも構わない。
尚、本実施例においては、ピン受け４１ｃ、４３ｃ及びピン受け４１ｄ、４３ｄは上下方向においてほぼ同じ高さに凹設され、そのピン受けに対する防止ピン４０、４０もほぼ同じ高さ位置に差し込まれているが、望ましくは、垂直部４４周縁の各ピン受けは同じ高さ位置に凹設され、その防止ピン４０，４０も同じ高さ位置に差し込まれるのがよい。
【００３３】
加えて、本実施例では、土台部材３２の正面側に植設した掛止ピン４２ａ〜４２ｄを、防止ピン４０の掛止手段として採用しているが、これに限定せず、図７（ｂ）に示すように、土台部材３２の正面側からその嵌合段部３３の側面にかけて吊り下げ孔４６を穿設し、防止ピン４０の掛止部４０ｘを吊り下げ孔４６内に挿入し、続いて防止ピン４０本体を掛止部４０ｘの中にくぐらせる吊り下げる方法を採用しても良い。
【００３４】
そして、本発明においては、サイズの異なる防止ピン４０を複数作製しておくことで、板状部材３１と土台部材３２との隙間が狭まったり、もしくは拡がった場合においても、任意に選択した防止ピン４０と交換することで対応することができる。
【００３５】
なお、本実施例では、まず板状部材３１上部に設けた係止溝３７を土台部材３２上部に設けた係止片３６に係止させ、次に防止ピン４０，４０・・によって、板状部材３１を土台部材３２へ固定する遊技盤１０について記載している。その他の実施例として、板状部材３１を土台部材３２のいずれかの位置に、何らかの方法で着脱可能に取り付けた後、防止ピン４０，４０・・で土台部材３２に固定することで遊技盤１０を形成することも可能である。
【００３６】
また、突起部８０、８０・・は、上記実施例の如く、突起部８０、８０・・を土台部材３２に一体的に成形したものに限定されず、別個に形成された突起部８０、８０・・を接着する方法等の、一体成形とは別の方法によって土台部材に突起部を設けたものでもよい。さらに、突起部８０、８０・・の材質は、土台部材３２と同じ材質（ポリカーボネート）である必要はなく、土台部材３２の材質と異ならせることも可能である。加えて、その様に突起部８０、８０・・の材質を土台部材３２と異ならせる場合には、突起部８０、８０・・の材質を、突起部と接する板状部材３２との間に摩擦が生じにくいような素材（すなわち、合成ゴムや天然ゴム等の摩擦係数が高い弾性材料を除く）とすることが好ましい。かかる構成を採用することによって、板状部材３１は、横方向に膨張する際に、板状部材３１と突起部８０、８０・・との間に生じる摩擦によって、板状部材３１の横方向への動きが抑制されることなく、歪みが生じにくい。
【００３７】
またさらに、突起部８０、８０・・は、上記実施形態の如く、突起部８０を等間隔で設けたものに限定されず、突起部８０同士の間隔及び配置や、突起部８０の数を必要に応じて適宜変更することができる。加えて、突起部８０の形状は、上記実施形態の如く、半球状のものでもよいが、それに限定されず、四角形状のもの、もしくは三角形、あるいは円柱状のベース部の先端に半球状の当節部分を設けたＵ字形ものを用いることも可能で、必要に応じて適宜変更することができる。
【図面の簡単な説明】
【００３８】
【図１】パチンコ機の前面を示した説明図である。
【図２】板状部材と土台部材とからなる遊技盤の説明図である。
【図３】板状部材の説明図である。
【図４】土台部材の説明図である。
【図５】遊技盤上部の拡大図である。
【図６】（ａ）防止ピンの正面及び側面からの拡大図と、（ｂ）防止ピンの挿通状態を示した断面図である。
【図７】（ａ）防止ピンが挿通された板状部材と土台部材との隙間の拡大図、（ｂ）吊り下げ孔の拡大図である。
【符号の説明】
【００３９】
１・・パチンコ機、１０・・遊技盤、１１・・遊技領域、３１・・板状部材、３２・・土台部材、３３・・嵌合段部、４０・・防止ピン（ピン部材）、４４・・垂直部。
【図１】
2009273787.tif 000003
【図２】
2009273787.tif 000004
【図３】
2009273787.tif 000005
【図４】
2009273787.tif 000006
【図５】
2009273787.tif 000007
【図６】
2009273787.tif 000008
【図７】
2009273787.tif 000009